(57)【要約】【課題】第１の大径ギヤの裏側に隠れている小径ギヤと第２の大径ギヤとの噛合部に潤滑オイルを確実に塗布できるギヤ噛合部へのオイル塗布構造を提供すること。【解決手段】この発明のギヤ噛合部へのオイル塗布構造は、第１の大径ギヤ２０と、前記第１の大径ギヤ２０の裏側に同軸に設けられた小径ギヤ２１と、前記小径ギヤ２１に噛合する第２の大径ギヤ２３を備えるギヤ噛合部へのオイル塗布構造であって、前記小径ギヤ２１と第２の大径ギヤ２３との噛合部２５に臨ませるオイル塗布孔２６を前記第１の大径ギヤ２０に設けた構成としている。【選択図】  図１
2004245254.tif 000002
【特許請求の範囲】
【請求項１】
第１の大径ギヤと、前記第１の大径ギヤの裏側に同軸に設けられた小径ギヤと、前記小径ギヤに噛合する第２の大径ギヤを備えるギヤ噛合部へのオイル塗布構造であって、
前記小径ギヤと第２の大径ギヤとの噛合部に臨ませるオイル塗布孔を前記第１の大径ギヤに設けたことを特徴とするギヤ噛合部へのオイル塗布構造。
【請求項２】
前記オイル塗布孔は前記第１の大径ギヤの周方向に間隔をおいて複数設けられていることを特徴とする請求項１に記載のギヤ噛合部へのオイル塗布構造。
【発明の詳細な説明】
【０００１】
【発明の属する技術分野】
この発明は、第１の大径ギヤの裏側に隠れた小径ギヤに第２の大径ギヤが噛合させられているギヤ噛合部へのオイル注入構造に関するものである。
【０００２】
【従来の技術】
従来のギヤ装置としては、例えば、図３（ａ），図２（ｂ）に示したように、大径ギヤ１と、この大径ギヤ１の裏側に同軸に設けられた小径ギヤ２と、小径ギヤ２に噛合する第２の大径ギヤ３を備えている構成のものがある（例えば特許文献１参照）。
【０００３】
この様な構成のギヤ装置は、種々の装置で使用されており、例えば計器の指針にステッピングモータ等の駆動モータからの回転駆動力を伝達したりするのに用いられている。
【０００４】
ところで、この様なギヤ装置においては、ギヤ同士の振動騒音を減少させたり、ギヤ同士の摩擦を少なくして摩耗や発熱を減少させる潤滑オイルを塗布しているのが普通である。この潤滑オイルを小径ギヤ２と大径ギヤ３との噛合部に塗布するには、第２の大径ギヤ３の周縁部の露出している歯に潤滑オイルを塗布して、大径ギヤ３と小径ギヤ２とを回転させることにより、大径ギヤ３から小径ギヤ２の歯全体にオイルを付着させる様にしていた。
【０００５】
【特許文献１】
特開２００１−３１７９７０号公報
【０００６】
【発明が解決しようとする課題】
しかしながら、上述した様な駆動装置では指針が一回転しないため、大径ギヤ３に指針を設けているような場合において、小径ギヤ２と大径ギヤ３との噛合部から離れた位置で大径ギヤの歯に潤滑オイルを塗布してしまった場合、噛合部に潤滑オイルが回らないことがある。
【０００７】
そこで、この発明は、この様に第１の大径ギヤの裏側に隠れている小径ギヤと第２の大径ギヤとの噛合部に潤滑オイルを確実に塗布できるギヤ噛合部へのオイル塗布構造を提供することを目的とするものである。
【０００８】
【課題を解決するための手段】
この目的を達成するため、請求項１の発明は、第１の大径ギヤと、前記第１の大径ギヤの裏側に同軸に設けられた小径ギヤと、前記小径ギヤに噛合する第２の大径ギヤを備えるギヤ噛合部へのオイル塗布構造であって、前記小径ギヤと第２の大径ギヤとの噛合部に臨ませるオイル塗布孔を前記第１の大径ギヤに設けたギヤ噛合部へのオイル塗布構造としたことを特徴とする。
【０００９】
この構成によれば、オイル塗布孔から潤滑オイルを小径ギヤの歯又は小径ギヤと第２の大径ギヤとの噛合部に塗布して、小径ギヤと第２の大径ギヤを回転させることで、小径ギヤと第２の大径ギヤとの噛合部に潤滑オイルを付着させることができる。
【００１０】
また、請求項２の発明は、前記オイル塗布孔は前記第１の大径ギヤの周方向に間隔をおいて複数設けられていることを特徴とする。
【００１１】
この構成によれば、小径ギヤと第２の大径ギヤとの噛合部に潤滑オイルを複数箇所で確実に付着させることができる。
【００１２】
【発明の実施の形態】
以下、この発明の実施の形態を図１に基づいて説明する。
図１，図２は、本発明に係るギヤ噛合部へのオイル塗布構造を車両用計器のステッピングモータに適用した例を示したものである。尚、この発明にかかるギヤ噛合部へのオイル塗布構造は、車両用計器以外の乗物のギヤを用いた計器のステッピングモータ、その他のギヤ装置等に適用できることは勿論である。
【００１３】
図２において、１０は車両用計器のステッピングモータである。このステッピングモータ１０はモータハウジング（外枠）１１を有し、このモータハウジング１１は第１分割ハウジング１２及び第２分割ハウジング１３を備え、この分割ハウジング１２，１３は図示しない固定手段で互いに着脱可能に固定されている。
【００１４】
このモータハウジング１１内には、第１分割ハウジング１２に固定されたステータ（詳細図示せず）のコア１４と、このコア１４に隣接して配設されたロータ支持軸１５と、ロータ支持軸１５に回転自在に保持されたロータ１６と、ロータ１６の回転を後述する指針に伝達する回転力伝達手段であるギヤ装置１７が内蔵されている。このロータ支持軸１５は両端部が第１，第２分割ハウジング１２，１３に固定されている。尚、ステータは、コア１４と、コア１４の図示しない部分に捲回された駆動コイルを備えていて、この駆動コイルに駆動電圧を印加することにより、ロータ１６に駆動磁界を作用させてロータ１６を回転させる様になっている。
【００１５】
ギヤ装置１７は、ロータ１６と一体に且つ同軸に設けられたピニオン１８と、ロータ支持軸１５と平行に設けられ且つ両端部が第１，第２分割ハウジング１２，１３に固定された支持軸１９と、この支持軸１９に回転自在に保持され且つピニオン１８に噛合する第１の大径ギヤ２０と、第１の大径ギヤ２０の裏側に一体且つ同軸に設けられた小径ギヤ２１を有する。
【００１６】
また、ギヤ装置１７は、支持軸１９と平行に設けられ且つ両端部が第１，第２分割ハウジング１２，１３に回転自在に保持された回転軸２２と、この回転軸２２に一体に設けられ且つ小径ギヤ２１に噛合する第２の大径ギヤ２３を有する。この回転軸２２は他端部が第２分割ハウジング１３を貫通して外方に突出しており、この回転軸２２の他端部には指針２４が固定されている。
【００１７】
更に、第１の大径ギヤ２０には、小径ギヤ２１と第２の大径ギヤ２３との噛合部２５に臨ませるオイル塗布孔２６が形成されている。このオイル塗布孔２６は、第１の大径ギヤ２０の周方向に間隔をおいて複数（本実施例では３つ）設けられている。
【００１８】
この構成によれば、オイル塗布孔２６から潤滑オイルを小径ギヤ２１の歯又は小径ギヤ２１と第２の大径ギヤ２３との噛合部２６に適量塗布して、小径ギヤ２１と第２の大径ギヤ２３を回転させることで、小径ギヤ２１と第２の大径ギヤ２３との噛合部２５に潤滑オイルを付着させることができる。
【００１９】
しかも、小径ギヤ２１と第２の大径ギヤ２３を回転させて、第２の大径ギヤ２３の小径ギヤ２１への噛合位置を変えることで、小径ギヤ２１と第２の大径ギヤ２３の噛合部に塗布された潤滑オイルが、噛合部の歯面同士の接触位置の変化にに伴うオイル押出力等により隣接する歯に順に流動させられて、小径ギヤ２１や第２の大径ギヤ２３の潤滑オイルが塗布されていない部分にも付着させられる。
【００２０】
以上説明したように、この発明の実施の形態のギヤ噛合部へのオイル塗布構造では、第１の大径ギヤ２０と、前記第１の大径ギヤ２０の裏側に同軸に設けられた小径ギヤ２１と、前記小径ギヤ２１に噛合する第２の大径ギヤ２３を備えるギヤ噛合部へのオイル塗布構造であって、前記小径ギヤ２１と第２の大径ギヤ２３との噛合部２５に臨ませるオイル塗布孔２６を前記第１の大径ギヤ２０に設けた構成としている。
【００２１】
この構成によれば、オイル塗布孔２６から潤滑オイルを小径ギヤ２１の歯又は小径ギヤ２１と第２の大径ギヤ２３との噛合部２６に直接塗布して、小径ギヤ２１と第２の大径ギヤ２３を回転させることで、小径ギヤ２１と第２の大径ギヤ２３との噛合部に潤滑オイルを確実に付着させることができる。
【００２２】
また、この発明の実施の形態のギヤ噛合部へのオイル塗布構造では、前記オイル塗布孔２６は前記第１の大径ギヤ２０の周方向に間隔をおいて複数設けられている構成としている。
【００２３】
この構成によれば、小径ギヤ２１と第２の大径ギヤ２３との噛合部２５に潤滑オイルを複数箇所で確実に付着させることができる。
【００２４】
【発明の効果】
以上説明したように請求項１の発明は、小径ギヤと第２の大径ギヤとの噛合部に臨ませるオイル塗布孔を前記第１の大径ギヤに設けた構成としので、オイル塗布孔から潤滑オイルを小径ギヤの歯又は小径ギヤと第２の大径ギヤとの噛合部に塗布して、小径ギヤと第２の大径ギヤを回転させることで、小径ギヤと第２の大径ギヤとの噛合部に潤滑オイルを付着させることができる。
【００２５】
また、請求項２の発明は、前記オイル塗布孔は前記第１の大径ギヤの周方向に間隔をおいて複数設けられている構成としたので、小径ギヤと第２の大径ギヤとの噛合部に潤滑オイルを複数箇所で確実に付着させることができる。
【図面の簡単な説明】
【図１】（ａ）はこの発明に係るギヤ噛合部へのオイル塗布構造の要部拡大平面図、（ｂ）は（ａ）のＡ１−Ａ１線に沿う断面図である。
【図２】図１のギヤ噛合部へのオイル塗布構造をを備える計器用ステッピングモータの一例を示す概略断面図である。
【図３】（ａ）は従来のギヤ装置の一例を示す平面図、（ｂ）は（ａ）のＡ２−Ａ２線に沿う断面図である。
【符号の説明】
２０・・・第１の大径ギヤ
２１・・・小径ギヤ
２３・・・第２の大径ギヤ
２５・・・噛合部
２６・・・オイル塗布孔
【図１】
2004245254.tif 000003
【図２】
2004245254.tif 000004
【図３】
2004245254.tif 000005